(57)【要約】【課題】  遊技機用制御装置は、半導体素子の不正改造や認定外部品の不正使用を容易に発見する目的でケース内の確認を行い易くする工夫が施されている。これに対し、画像の高速化に伴う負担増により高温化する画像制御素子に、専用の放熱部材を取り付ける必要があるが、そうすると画像制御素子のパッケージが放熱部材で覆い隠されることになるため、ケース内の確認を行い易くした不正対策が無駄になるおそれがあった。【解決手段】  遊技用画像表示装置の画像制御に使用する画像制御素子８と、その画像制御素子８のパッケージ８ａの上面に取り付ける放熱部材１０と、を備え、画像制御素子８のパッケージ８ａ上面に情報記載部８ｃを設け、一方、放熱部材１０には情報記載部８ｃと対向する部位に欠落空間１０ａを設けるようにした遊技機用制御装置１を提供する。【選択図】        図１
2006255328.tif 000002
【特許請求の範囲】
【請求項１】
遊技用画像表示装置の画像制御に使用する画像制御素子と、
その画像制御素子のパッケージの上面に取り付ける放熱部材と、を備え、
前記画像制御素子のパッケージ上面に情報記載部を設け、一方、放熱部材には前記情報記載部と対向する部位に欠落空間を設けるようにした遊技機用制御装置。
【発明の詳細な説明】
【技術分野】
【０００１】
本発明は、遊技用画像表示装置を備えたスロットマシン（回胴式遊技機と同義）やパチンコ機等の遊技機に使用する遊技機用制御装置に関する。
【背景技術】
【０００２】
遊技機にはＬＳＩ等の電子部品をケース内に組み込んだ制御装置が使われている。この制御装置は、電子部品が発する熱によりケース内が高温になるため、ケースに放熱孔を設けたり、ケースの内部に放熱部材を設置して外部への放熱を行うようにしている（特許文献１参照）。
【特許文献１】特開平１０−１７９８８４号公報
【発明の開示】
【発明が解決しようとする課題】
【０００３】
液晶等の遊技用画像表示装置を備えた遊技機では、表示内容が年々高度化・複雑化し大量のデータを高速に処理する必要が生じており、そのため遊技用画像表示装置の画像を制御する画像制御素子に加わる負担が増大している。その結果、画像制御素子の発熱量が他の電子部品に比べて突出して高くなっており、画像制御素子専用の放熱部材（ヒートシンク）を必要とする状況にある。
【０００４】
ところで半導体素子に放熱部材を取り付ける場合は、半導体素子のパッケージの上面全体を覆う程度の大きさにした放熱部材をパッケージの上面（パッケージの上面がフラットである場合はパッケージ上面、また、パッケージの上面にマウント部が突出している場合にはそのマウント部上面）に直接取り付けるか又はシリコングリスやシリコンゴムような熱伝導部材を介して間接的に取り付けるのが一般的である。半導体素子の一種である画像制御素子に放熱部材を取り付ける場合も同様であり、画像制御素子のパッケージの上面全体を覆う程度の大きさにした放熱部材をパッケージの上面（パッケージの上面がフラットである場合はパッケージ上面、また、パッケージの上面にマウント部が突出している場合にはそのマウント部上面）に直接取り付けるか又はシリコングリスやシリコンゴムような熱伝導部材を介して間接的に取り付けることになる。
【０００５】
しかして遊技機用制御装置は、半導体素子の不正改造や認定外部品の不正使用を容易に発見する目的で、ケースの蓋部材を透明にするなど、ケース内の確認を行い易くする工夫が施されている。これに対し画像制御素子に放熱部材を取り付けると、画像制御素子のパッケージが放熱部材で覆い隠されることになるため、ケース内の確認を行い易くした不正対策が無駄になるおそれがあった。なお、ケース内の確認を行い易くする不正対策は遊技機用制御装置に固有の問題であり、よってそれ以外の分野において半導体素子のパッケージが放熱部材で覆い隠されたとしても何の問題もない。
【課題を解決するための手段】
【０００６】
遊技用画像表示装置の画像制御に使用する画像制御素子と、その画像制御素子のパッケージの上面に取り付ける放熱部材と、を備え、前記画像制御素子のパッケージ上面に情報記載部を設け、一方、放熱部材には前記情報記載部と対向する部位に欠落空間を設けるようにした遊技機用制御装置を提供する。
【発明の効果】
【０００７】
画像制御素子に放熱部材を取り付けた状態で、放熱部材の欠落空間を通してパッケージ上面の情報記載部が見える。従って画像制御素子の情報記載部に型番等、画像制御素子を識別するに必要な情報を記載しておけば、例えば画像制御素子が仕様書通りの製品であるか否か等の確認が容易に行える。
【発明を実施するための最良の形態】
【０００８】
以下に本発明の実施の形態を図面を参照しつつ説明する。なお、図１は遊技機用制御装置の斜視図、図２は図１の分解斜視図、図３は遊技機用制御装置の断面図、図４（ａ），（ｂ）は他の形態を示す画像制御素子と放熱部材の斜視図である。
【０００９】
遊技機用制御装置１は、底部材２と蓋部材３で構成されるケース４内に回路基板５を設けてなる。前記底部材２は、底板２ａの全周を低い周壁２ｂで囲ったトレー形態であり、周壁２ｂの上端面とほぼ面一になる位置に回路基板５がビス止めされている。一方、蓋部材３は、天板３ａの周囲を下向きの垂下周壁３ｂで囲った形態であり、該垂下周壁３ｂの下端内周に前記底部材２の上端外周がぴったり嵌まる。蓋部材３は透明な合成樹脂製であり、周囲に直径２ｍｍ以下（２ｍｍ以下の直径とすることによりケース４内への異物の差込みが困難になる。）の放熱孔３ｃ，３ｃ…が穿設され、また、後述するコネクター６をケース４外に突出させるための開口３ｄが形成されている。なお、図示した放熱孔３ｃ，３ｃ…は蓋部材３の垂下周壁３ｂに穿設されているが、天板３ａに穿設するか、或は垂下周壁３ｂと天板３ａの双方に穿設してもよい。
【００１０】
前記底部材２と蓋部材３は、底部材２の周壁２ｂと蓋部材３の垂下周壁３ｂに突部２ｃ，３ｅを突設し、その突部２ｃ，３ｅ同士を重ねてビス７で締め付ける結合構造になっている。実施形態のビス７はワンウェイタイプの封印仕様であり、一旦締めると外れない。従って底部材２と蓋部材３の結合後の分離は、突部２ｃ，３ｅを破壊することになる。
【００１１】
前記回路基板５は、電子部品たる画像制御素子８とＣＰＵ９を備え、また、画像制御素子８には放熱部材１０が取り付けられている。画像制御素子８にはパッケージ８ａの上面中央にマウント部８ｂがあり、また、パッケージ８ａの上面に情報記載部８ｃが設けられている。この情報記載部８ｃには例えば画像制御素子８の型番や名称等、画像制御素子８の識別につながる情報が記載されている。なお、実施形態の情報記載部８ｃは、四角い枠内に墨網を施した状態に表示されているが、実際にはパッケージ８ａの地色に型番等を印刷した構成でよい。また、回路基板５には他の電子部品１１，１１…や前記したコネクター６が装着されている。
【００１２】
一方、放熱部材１０は熱伝導に優れた金属製であって、前記画像制御素子８のパッケージ８ａの上面全体を覆う形状であり、画像制御素子８に対して前記マウント部８ｂの上面に直に接するようにして取り付けられる。なお、放熱部材１０の固定は、図示しないが画像制御素子８のパッケージ８ａにビス止めしたり或は公知のクランプ金具で回路基板５に取り付ける等の手段を講ずればよい。
【００１３】
しかして本発明の放熱部材１０は、画像制御素子８の前記情報記載部８ｃと対向する部位に欠落空間１０ａを設けてなる。従って図１に示したように、画像制御素子８に放熱部材１０を取り付けた状態でも、放熱部材１０の欠落空間１０ａを通して情報記載部８ｃが見える。これにより例えば画像制御素子８の真偽を確認する、というような作業が簡単にしかも確実に行える。
【００１４】
本発明の遊技機用制御装置１は以上のような構成であり、遊技者向けの遊技用画像表示装置を備えたスロットマシンやパチンコ機等の遊技機（図示せず）内の適所にあって、内蔵した画像制御素子８を通じて前記遊技用画像表示装置の画像を制御する。
【００１５】
以上、本発明を実施の形態について説明したが、もちろん本発明は上記実施形態に限定されるものではない。例えば、実施形態では放熱部材１０の欠落空間１０ａを切欠状にして示したが、窓孔状に打ち抜く構成とすることも可能である。また、図４（ａ），（ｂ）に示したように欠落空間１０ａの上方に情報記載部８ｃが隠れない程度のカバー部１０ｂを形成してもよい。このように欠落空間１０ａの上方にカバー部１０ｂを設けると放熱部材１０の放熱面積が増大するため、欠落空間１０ａを有する放熱部材１０の放熱性能が向上する。特に図４（ｂ）のようにカバー部１０ｂを斜めに傾斜させるようにすれば、情報記載部８の視認性を損なわずに放熱性能を高めることができる。また、欠落空間１０ａを設ける部位は自由であり、パッケージ８ａの情報記載部８ｃと対向していればどこでもよい。
【００１６】
また、実施形態では放熱部材１０をケース４内の空間に収めるように設定したが、蓋部材３に放熱部材１０用の窓孔を設け、そこから放熱部材１０をケース４外に露出させてもよい。そうすることにより効率的な画像制御素子８の放熱が可能になる。また、実施形態では放熱部材１０と画像制御素子８とを直接接触させるようにしたが、両者の間にシリコングリスやシリコンゴムような熱伝導部材を介在させるようにしてもよい。また、実施形態では画像制御素子８とＣＰＵ９を別体に形成したが、画像制御素子８とＣＰＵ９は一体であってもよい。さらにまた、実施形態ではケース４の底部材２に回路基板５を取り付けたが、回路基板５を蓋部材３に取り付けてもよい。
【００１７】
なお、図５は本発明の解決課題と同一の課題を他の手段によって解決するようにしたものであり、画像制御素子８と放熱部材１０とを例えばリベット１２，１２…等で一体に結合し、放熱部材１０に情報記載部８ｃを設けるようにしたものである。この場合にも上記実施形態と同様の効果が得られる。
【図面の簡単な説明】
【００１８】
【図１】遊技機用制御装置の斜視図である。
【図２】図１の分解斜視図である。
【図３】遊技機用制御装置の断面図である。
【図４】（ａ），（ｂ）は他の形態を示す画像制御素子と放熱部材の斜視図である。
【図５】他の形態を示す画像制御素子と放熱部材の斜視図である。
【符号の説明】
【００１９】
１    …遊技機用制御装置
８    …画像制御素子
８ａ  …パッケージ
８ｃ  …情報記載部
１０  …放熱部材
１０ａ…欠落空間
【図１】
2006255328.tif 000003
【図２】
2006255328.tif 000004
【図３】
2006255328.tif 000005
【図４】
2006255328.tif 000006
【図５】
2006255328.tif 000007